(57)【要約】【課題】この発明は、ディスクから読み出された音声データを半導体メモリに記録する際に、エンコードが不要となるディスクプレーヤを提供することを目的とする。【解決手段】非圧縮音声データと当該非圧縮音声データと同じ音源に対する圧縮音声データとが記録されているディスクから、音声データを読み取って再生または半導体メモリに転送するディスクプレーヤであって、転送モード時には、ディスクから圧縮音声データのみを読み取って半導体メモリに転送する手段、および再生モード時には、ディスクから非圧縮音声データのみを読み取って再生出力する手段を備えている。【選択図】　図１
2004039097.tif 000002
【特許請求の範囲】
【請求項１】
非圧縮音声データと当該非圧縮音声データと同じ音源に対する圧縮音声データとが記録されているディスクから、音声データを読み取って再生または半導体メモリに転送するディスクプレーヤであって、
転送モード時には、ディスクから圧縮音声データのみを読み取って半導体メモリに転送する手段、および
再生モード時には、ディスクから非圧縮音声データのみを読み取って再生出力する手段、
を備えていることを特徴とするディスクプレーヤ。
【請求項２】
半導体メモリに記憶されている圧縮音声データを読み出してデコードして出力する手段を備えていることを特徴とする請求項１に記載のディスクプレーヤ。
【発明の詳細な説明】
【０００１】
【発明の属する技術分野】
この発明は、ディスクに記録された音声データを読み取ってリアルタイムで再生する機能、ディスクに記録された音声データを半導体メモリに記録して保持しておき、必要なときに半導体メモリから音声データを読み出して再生する機能を備えたディスクプレーヤに関する。
【０００２】
【従来の技術】
例えば、ＣＤ再生機能を有する”ＣＤプレーヤ”と、半導体メモリに音声データを記録して保持しておき、必要なときに半導体メモリから音声データを読み出して再生する”メモリプレーヤ”とを組み合わせたディスクプレーヤにおいては、ＣＤから読み出された音声データをメモリプレーヤに転送して半導体メモリに記録する際には、一般的に半導体メモリの容量を低減するために、ＣＤから読み出された音声データをエンコード（圧縮）した後に、半導体メモリに記録するようにしている。
【０００３】
このため、エンコードを行なうための装置が必要となり、機器のコストアップに繋がるという問題があるとともに、エンコード必要なためにＣＤから読み出された音声データを半導体メモリに記録する際に、時間がかかるという問題がある。
【０００４】
【発明が解決しようとする課題】
この発明は、ディスクから読み出された音声データを半導体メモリに記録する際に、エンコードが不要となるディスクプレーヤを提供することを目的とする。
【０００５】
【課題を解決するための手段】
請求項１に記載の発明は、非圧縮音声データと当該非圧縮音声データと同じ音源に対する圧縮音声データとが記録されているディスクから、音声データを読み取って再生または半導体メモリに転送するディスクプレーヤであって、転送モード時には、ディスクから圧縮音声データのみを読み取って半導体メモリに転送する手段、および再生モード時には、ディスクから非圧縮音声データのみを読み取って再生出力する手段を備えていることを特徴とする。
【０００６】
請求項２に記載の発明は、請求項１に記載のディスクプレーヤにおいて、半導体メモリに記憶されている圧縮音声データを読み出してデコードして出力する手段を備えていることを特徴とする。
【０００７】
【発明の実施の形態】
以下、この発明の実施の形態について説明する。
【０００８】
図１は、ディスクプレーヤの構成を示している。
【０００９】
ディスクプレーヤは、ＣＤプレーヤ部１、メモリプレーヤ部２、システム制御回路３、アンプ４およびスピーカ５から構成されている。
【００１０】
ＣＤプレーヤ部１は、ＣＤディスク１１からピット信号を読み取るＣＤ用レーザーピックアップ１２、レーザーピックアップ１２から読み出した信号を増幅する再生ＲＦアンプ１３、再生ＲＦアンプ１３の出力信号に対して誤り訂正処理等の処理を行なうデジタル信号処理回路１４およびデジタル信号処理回路１４から出力されるデジタル信号をアナログ信号に変換するＤ／Ａ変換回路１５を備えている。なお、１６はスピンドルモータ、１７はスレッドモータ、１８はこれらのモータ１６、１７を制御するモータコントロール回路である。
【００１１】
ＣＤプレーヤ部１では、ＣＤ用レーザーピックアップ１２によってＣＤディスク１１からピット信号が読み取られる。ＣＤ用レーザーピックアップ１２によって読み取られた信号は再生ＲＦアンプ１３に送られて増幅される。再生ＲＦアンプ１３によって得られた信号はデジタル信号処理回路１４によって誤り訂正等の処理が施された後、Ｄ／Ａ変換回路１５に送られて、アナログ信号に変換される。
【００１２】
メモリプレーヤ部２は、デジタル信号処理回路２１、半導体メモリ２２およびＤ／Ａ変換回路２３を備えている。デジタル信号処理回路２１は、記録時においてはＣＤプレーヤ部１内のデジタル信号処理回路１４から出力されるデジタル信号を処理して半導体メモリ２２に記録し、再生時においては半導体メモリ２２に記録されているデジタル信号を読み出してデコードする。Ｄ／Ａ変換回路２３は、デジタル信号処理回路２１によってデコードされたデジタル信号をアナログ信号に変換する。デジタル信号処理回路２１は、従来のようにエンコーダを備えていない。
【００１３】
システム制御回路３は、ＣＤプレーヤ部１およびメモリプレーヤ部２を制御する制御回路であり、ＣＤプレーヤ部１内のデジタル信号処理回路１４および　モータコントロール回路１７と、メモリプレーヤ部２内のデジタル信号処理回路２１とを制御する。
【００１４】
アンプ４は、ＣＤプレーヤ部１内のＤ／Ａ変換回路１５またはメモリプレーヤ部２内のＤ／Ａ変換回路２３から出力されるアナログ信号を増幅して、スピーカ５に出力する。
【００１５】
図１のディスクプレーヤに用いられるＣＤディスクとしては、図２に示すように、”ＣＤ−ＥＸＴＲＡ”規格を用いて、１枚のＣＤディスクの内周部Ｓ１に非圧縮の音声データが記録され、外周部Ｓ２に内周部Ｓ１に記録された音声データと同じ音源のデータが圧縮されたデータ（圧縮音声データ）が記録されたものが用いられる。つまり、外周部Ｓ２には、内周部Ｓ１に記録された音声データと同じ音源のデータをエンコードすることによって得られた圧縮音声データが記録されている。音源のデータが６０分である場合、その音源のデータが例えば、１／１０に圧縮されたデータが外周部Ｓ２に記録される。
【００１６】
この実施の形態においては、非圧縮音声データと当該非圧縮音声データと同じ音源に対する圧縮音声データとが記録されているＣＤディスクを”ＣＤ−ＥＸＴＲＡディスク”ということにし、それ以外の通常のＣＤディスクを”ＣＤ−ＤＡディスク”ということにする。
【００１７】
図３は、システム制御回路３の動作を示している。
【００１８】
以下の説明において、転送指令とは、セットされたＣＤディスクに記録された圧縮音声データを半導体メモリ２２に転送するための指令をいい、再生指令とはセットされたＣＤディスクに記録された非圧縮音声データを再生するための指令をいう。
【００１９】
ＣＤプレーヤ部１にＣＤディスク１１がセットされると、セットされたＣＤディスク１１に記録されているＴＯＣ情報に基づいて、当該ＣＤディスク１１が　”ＣＤ−ＥＸＴＲＡディスク”であるか”ＣＤ−ＤＡディスク”であるかを判別する（ステップ１）。
【００２０】
セットされたＣＤディスク１１が”ＣＤ−ＤＡディスク”であると判別した場合には、ユーザによって転送指令または再生指令が入力されるのを待つ（ステップ２、３）。ユーザによって転送指令が入力された場合には、何ら処理を行なわない。ユーザによって再生指令が入力された場合には、ＣＤプレーヤ部１を制御して、セットされているＣＤディスク（ＣＤ−ＤＡディスク）１１に記録されている音声データを再生させる（ステップ４）。
【００２１】
セットされたＣＤディスク１１が”ＣＤ−ＥＸＴＲＡディスク”であると判別した場合には、ユーザによって転送指令または再生指令が入力されるのを待つ（ステップ５、７）。
【００２２】
ユーザによって転送指令が入力された場合には、ＣＤプレーヤ部１およびメモリプレーヤ部２を制御して、セットされているＣＤディスク（ＣＤ−ＥＸＴＲＡディスク）１１の外周部に記録されている圧縮音声データを半導体メモリ２２に転送させる（ステップ６）。
【００２３】
ユーザによって再生指令が入力された場合には、ＣＤプレーヤ部１を制御して、セットされているＣＤディスク（ＣＤ−ＥＸＴＲＡディスク）１１にの内周部に記録されている非圧縮の音声データを再生させる（ステップ８）。
【００２４】
【発明の効果】
この発明によれば、ディスクから読み出された音声データを半導体メモリに記録する際に、エンコードが不要となる。
【図面の簡単な説明】
【図１】ディスクプレーヤの構成を示すブロック図である。
【図２】内周部に非圧縮の音声データが記録され、外周部に内周部に記録された音声データと同じ音源のデータが圧縮されたデータ（圧縮音声データ）が記録されているＣＤディスクを示す模式図である。
【図３】システム制御回路３の動作を示すフローチャートである。
【符号の説明】
１　ＣＤプレーヤ部
２　メモリプレーヤ部
３　システム制御回路
２１　デジタル信号処理回路
２２　半導体メモリ
【図１】
2004039097.tif 000003
【図２】
2004039097.tif 000004
【図３】
2004039097.tif 000005